(57)【特許請求の範囲】
【請求項１】
一方の水路と他方の水路の境界部に設置された横軸ポンプの吸込みカバー構造であって、
吸込みカバーの上部または側部に、水位に基づいて気中運転と揚水運転とを切り替える切替弁機構が配置され、
前記切替弁機構は、
最低吸込水位近傍に第１吸込開口部が形成されるとともに、前記第１吸込開口部より高位置に吐出開口部が形成され、前記第１吸込開口部から引き込まれた水を前記吐出開口部より高位置を通過して前記吐出開口部に導く逆Ｕターン流路と、
前記最低吸込水位より高位置に第２吸込開口部が形成されるとともに、前記第２吸込開口部より低位置を通過して前記逆Ｕターン流路に連通する順Ｕターン流路と、
を備え、前記第２吸込開口部が前記吸込みカバーの外方に向けて開口され、前記吐出開口部が前記吸込みカバーの内方に向けて開口されているとともに、前記切替弁機構で前記吸込みカバーの一部が構成されている横軸ポンプの吸込みカバー構造。
【請求項２】
前記吸込みカバーの外側に前記順Ｕターン流路が位置し、前記吸込みカバーの内側に前記逆Ｕターン流路が位置するように、前記順Ｕターン流路と前記逆Ｕターン流路が厚み方向に重畳する複層構造で構成されている請求項１記載の横軸ポンプの吸込みカバー構造。
【請求項３】
前記逆Ｕターン流路と前記順Ｕターン流路は、前記吸込みカバーの面方向に互いに位置を異ならせて配置される単層構造で構成されている請求項１または２記載の横軸ポンプの吸込みカバー構造。
【請求項４】
前記逆Ｕターン流路と前記順Ｕターン流路は、前記吸込みカバーに配置された流路形成部材により構成されている請求項１から３記載の横軸ポンプの吸込みカバー構造。
【請求項５】
前記逆Ｕターン流路と前記順Ｕターン流路とが連通する部分が屈曲のない流路によって構成され、前記順Ｕターン流路のその反対側に第２吸込開口部を有し、前記逆Ｕターン流路のその反対側に吐出開口部を有する請求項１から４記載の横軸ポンプの吸込みカバー構造。
【請求項６】
前記第１吸込開口部と前記逆Ｕターン流路とが連通する部分が屈曲のない流路によって構成され、それに隣接して前記順Ｕターン流路を配置する請求項１から４記載の横軸ポンプの吸込みカバー構造。
【請求項７】
請求項１から６の吸込みカバー構造を有する横軸ポンプ。
【請求項８】
請求項７の横軸ポンプを備える横型ポンプゲート装置。
【発明の詳細な説明】
【技術分野】
【０００１】
本発明は一方の水路と他方の水路の境界部に設置された横軸ポンプの吸込みカバー構造に関する。
【背景技術】
【０００２】
従来、治水等を目的として、例えば河川や水路の合流地点に、開閉自在に設置された止水ゲート扉体に排水ポンプを備えた止水ゲートを設置し、止水ゲートによって仕切られた一方の水路から排水ポンプにより他方の水路に水を移送するポンプゲートが構築されている。そして、ポンプゲートの小型化の要請の下、ポンプの吸込口が水路の水面と平行になるように設置する横軸ポンプが排水ポンプとして使用されるようになっている。
【０００３】
横軸ポンプは、水路を流れる水をその流れのままポンプ内に取り込むので、流向が安定し、縦軸ポンプを使用したポンプゲートに比べて低水位まで水を吸い込むことができる。
【０００４】
しかし、水位が横軸ポンプの吸込み部の上端近くまで低くなると、水面から空気を吸込む空気吸込み渦が発生し、揚水量の低下、キャビテーションの発生等のポンプ性能の低下を招き、騒音、振動、水中軸受の磨耗といった機械的不都合が生じるという問題があった。
【０００５】
そのため、特許文献１には、横軸ポンプの吸込口や吸込みカバーの上壁が水路を流れる水の自由水面に対して斜め下向きになるように横軸ポンプを設置することによって、吸込口の真上からの吸込を極力防止して空気吸込み渦の発生を抑制しながら低水位まで安定して吸込み可能とする水中ポンプが提案されていた。
【０００６】
また、特許文献２には、水中ポンプの吸込口下部近傍から吸込まれる流水の渦発生を防止するため、水中ポンプの後部側から回り込む流水の流れの方向を変換可能な渦発生防止部材を、吸込口下部近傍に設けた水中ポンプが提案されていた。
【先行技術文献】
【特許文献】
【０００７】
【特許文献１】特開２００２−２１０５０号公報
【特許文献２】特開２００７−３１９６８号公報
【発明の概要】
【発明が解決しようとする課題】
【０００８】
上述した特許文献１，２に開示された水中ポンプでは、低水位まで安定して水を吸い込むことができるのであるが、ポンプの運転と停止が頻繁に繰り返されることがあった。
【０００９】
吸込みカバーから上流側に離隔した水路の水位が吸込み可能水位以上であっても、ポンプで生じる吸込み水流によって、吸込みカバー近傍水位が吸込み可能水位より低下し、当該水位の低下が検知されるとポンプが直ちに停止され、ポンプが停止すると吸込みカバー近傍水位が瞬時に吸込み可能水位より上昇し、当該水位の上昇が検知されるとポンプが直ちに運転されるようになるためである。
【００１０】
そこで、ポンプの運転と停止が頻繁に繰り返されることがないように、水位が低下すると気中運転となり、水位が上昇すると揚水運転となるように、水位に関わらずポンプの運転を継続することが考えられる。
【００１１】
しかし、この場合でも、揚水運転と気中運転が頻繁に繰り返されると、騒音、振動、水中軸受の磨耗といった機械的不都合が生じる虞があった。
【００１２】
本発明の目的は、上述した問題点に鑑み、ポンプの頻繁な起動と停止の発生、あるいは頻繁な揚水運転と気中運転の切替の発生を抑制可能な横軸ポンプの吸込みカバー構造を提供する点にある。
【課題を解決するための手段】
【００１３】
上述の目的を達成するため、本発明による横軸ポンプの吸込みカバー構造の第一の特徴構成は、特許請求の範囲の書類の請求項１に記載した通り、一方の水路と他方の水路の境界部に設置された横軸ポンプの吸込みカバー構造であって、吸込みカバーの上部または側部に、水位に基づいて気中運転と揚水運転とを切り替える切替弁機構が配置され、前記切替弁機構は、最低吸込水位近傍に第１吸込開口部が形成されるとともに、前記第１吸込開口部より高位置に吐出開口部が形成され、前記第１吸込開口部から引き込まれた水を前記吐出開口部より高位置を通過して前記吐出開口部に導く逆Ｕターン流路と、前記最低吸込水位より高位置に第２吸込開口部が形成されるとともに、前記第２吸込開口部より低位置を通過して前記逆Ｕターン流路に連通する順Ｕターン流路と、を備え、前記第２吸込開口部が前記吸込みカバーの外方に向けて開口され、前記吐出開口部が前記吸込みカバーの内方に向けて開口されているとともに、前記切替弁機構で前記吸込みカバーの一部が構成されている点にある。
【００１４】
水路の水位が第２吸込開口部より高いときには、第１及び第２吸込開口部から引き込まれた水で各Ｕターン流路が満たされる結果、吸込みカバーの内部が水で満たされて、安定した揚水運転が行なわれる。水路の水位が第２吸込開口部より低下し、順Ｕターン流路の下部近傍になると、第２吸込開口部から空気が流入して逆Ｕターン流路の水封が解除され、その結果吸込みカバーの内部に空気が流入して気中運転に切り替わる。
【００１５】
水路の水位が最低吸込水位から上昇し、第２吸込開口部より高くなると、第２吸込開口部から引き込まれた水で各Ｕターン流路が満たされて水封される結果、吸込みカバーの内部が水で満たされて、気中運転から揚水運転に切り替わる。
【００１６】
従って、気中運転と揚水運転との切替時に水位のヒステリシス特性が得られるようになり、気中運転と揚水運転の頻繁な切替が回避されるとともに、最低吸込水位近傍での空気吸込み渦の発生も回避できるようになる。しかも、吸込みカバーの一部が切替弁機構で構成されるので、シンプルな構造が実現でき、部品コストも抑制可能になる。
【００１７】
同第二の特徴構成は、上述の第一の特徴構成に加えて、前記吸込みカバーの外側に前記順Ｕターン流路が位置し、前記吸込みカバーの内側に前記逆Ｕターン流路が位置するように、前記順Ｕターン流路と前記逆Ｕターン流路が厚み方向に重畳する複層構造で構成されている点にある。
【００１８】
順Ｕターン流路と逆Ｕターン流路とを厚み方向に重畳した複層構造であるため、夫々を構成する流路を形成した後に厚み方向に重畳するように配置すればよいので、製造工程もシンプルで安価に切替弁機構を構成できるようになる。
【００１９】
同第三の特徴構成は、上述の第一または第二の特徴構成に加えて、前記逆Ｕターン流路と前記順Ｕターン流路は、前記吸込みカバーの面方向に互いに位置を異ならせて配置される単層構造で構成されている
【００２０】
順Ｕターン流路と逆Ｕターン流路とを吸込みカバーの面方向に互いに位置を異ならせて配置すればよいので、切替弁機構を薄型に構成できるようになる。
【００２１】
同第四の特徴構成は、上述の第一から第三の何れかの特徴構成に加えて、前記逆Ｕターン流路と前記順Ｕターン流路は、前記吸込みカバーに配置された流路形成部材により構成されている点にある。
【００２２】
例えば、管路のような流路形成部材で逆Ｕターン流路と順Ｕターン流路を構成して吸込みカバーに配置すれば、切替弁機構を容易く構成することができる。
【００２３】
同第五の特徴構成は、上述の第一から第四の何れかの特徴構成に加えて、前記逆Ｕターン流路と前記順Ｕターン流路とが連通する部分が屈曲のない流路によって構成され、前記順Ｕターン流路のその反対側に第２吸込開口部を有し、前記逆Ｕターン流路のその反対側に吐出開口部を有する点にある。
【００２４】
この様な構成を採用すると、極めて簡単に切替弁機構が構成できる。例えば、屈曲形成した２枚の板状体を間隔を隔てて配置することにより極めて簡単に構成することができる。
【００２５】
同第六の特徴構成は、上述の第一から第四の何れかの特徴構成に加えて、前記第１吸込開口部と前記逆Ｕターン流路とが連通する部分が屈曲のない流路によって構成され、それに隣接して前記順Ｕターン流路を配置する点にある。
【００２６】
本発明による横軸ポンプの特徴構成は、上述の第一から第六の何れかの特徴構成を備えた吸込みカバー構造を有する点にある。
【００２７】
本発明による横型ポンプゲート装置の特徴構成は、上述の特徴構成を備えた横軸ポンプを備える点にある。
【発明の効果】
【００２８】
以上説明した通り、本発明によれば、ポンプの頻繁な起動と停止の発生、あるいは頻繁な揚水運転と気中運転の切替の発生を抑制可能な横軸ポンプの吸込みカバー構造を提供することができるようになった。
【図面の簡単な説明】
【００２９】
【図１】本発明によるポンプゲートの正面図
【図２】本発明によるポンプゲートの正面図
【図３】（ａ）本発明によるポンプゲートの上面図、（ｂ）本発明によるポンプゲートの要部平断面図
【図４】（ａ）本発明によるポンプゲートの揚水運転説明図（ｂ）本発明によるポンプゲートの気中運転説明図（ｃ）本発明によるポンプゲートの気水混合運転説明図
【図５】（ａ）は別実施形態を示す切替弁機構を備えた吸込みカバー構造の側断面図、（ｂ）は切替弁機構の平面図
【図６】（ａ）は別実施形態を示す切替弁機構を備えた吸込みカバー構造の側断面図、（ｂ）は切替弁機構の平面図
【図７】別実施形態を示す切替弁機構を備えた吸込みカバー構造の側断面図
【発明を実施するための形態】
【００３０】
以下に本発明による横軸ポンプの吸込みカバー構造の実施の形態を説明する。図１から図３（ａ）に示すように、第一水路１（例えば支流河川）と第二水路２（例えば本流河川）の合流地点である境界部にポンプゲート３が設置されている。ポンプゲート３は、境界部に立設された水門柱４（４ｂ）と水路の底部に横設された床部材４ｃと昇降機構７を支承するコンクリート製床盤４（４ａ）に、鋼板製の止水ゲート扉体６が昇降機構７により開閉操作自在に支持されている。
【００３１】
昇降機構７は、継手７ｂを介して止水ゲート扉体６に固定された一対のラック棒７ａと、水門柱４（４ａ）の上部に配置されたギヤボックス７ｃ内のピニオンギヤを正転または逆転駆動する電動モータ７ｆと、手動操作ハンドル７ｄと、一方のギヤボックス７ｃ側に駆動連結された電動モータ７ｆにより他方のギヤボックス７ｃ側を連動して駆動する駆動連結機構７ｅ等を備えて構成されている。
【００３２】
電動モータ７ｆまたは手動操作ハンドル７ｄによりピニオンギヤを回動させることにより、ラック棒７ａに支持された止水ゲート扉体６が昇降作動可能に構成されている。
【００３３】
止水ゲート扉体６の中央部には、両水路１，２間を連通させる左右一対の貫通孔が形成され、夫々の貫通孔には止水ゲート扉体６が下降した止水姿勢において第一水路１から第二水路２に排水するポンプ装置１１が設置されている。
【００３４】
ポンプ装置１１は軸心Ｐが略水平姿勢に設置されたポンプケーシングとポンプケーシングに収容された羽根車で構成された横軸ポンプで構成されている。
【００３５】
ポンプ装置１１の支流河川である第一水路１に臨む吸込み側端部には吸込みカバー２３の基端側がポンプケーシングにフランジ接続され、さらに吸込みカバー２３に本発明による切替弁機構２２が組み込まれている。
【００３６】
本流河川である第２水路２に臨む吐出し側端部にはフラップ弁１２が開閉自在に取付けられ、支流河川である第一水路１から本流河川である第二水路２への流れが許容され、本流河川である第二水路２から支流河川である第一水路１への水の流れが阻止されるように構成されている。
【００３７】
ポンプゲート３のゲート床部材４ｂ上に設置されたポンプ装置１１を駆動制御する駆動装置５が配置されている。駆動装置５とポンプ装置１１は給電ケーブルＰＬで接続され、さらに駆動装置５には水位センサ（図示せず）の信号が入力されている。水位センサで検出された第一水路１の水位に基づいて給電ケーブルＰＬを介してポンプ装置１１に給電されるとポンプ装置１１が起動され、給電が停止されるとポンプ装置１１が停止される。
【００３８】
つまり、止水ゲート扉体３を降下させた閉鎖状態で第一水路１の水位がポンプ起動水位に達するとポンプ装置１１を作動させて、第一水路１の水がポンプ装置１１の吸込み側端部から吸込まれ、その水圧によりフラップ弁１２が押し開けられて、吐出し側端部から第二水路２に排水される。
【００３９】
また、止水ゲート扉体３が閉鎖状態にあるときにポンプ装置１１が停止されると、第一水路１から第二水路２への排水が停止されるとともに、フラップ弁１２がその自重と第二水路２の水圧との複合的な作用で自動的に閉じられ、第二水路２から第一水路１への水の逆流が防止される。
【００４０】
図３（ｂ）に示すように、吸込みカバー２３は先端側の開口部２４が第一水路１の底部に対向するように配置された筒状体で構成されている。詳述すると、吸込みカバー２３は先端側が第一水路１の底部に向けて傾斜姿勢で配置された上板部２３Ａと、上板部２３Ａの左右縁部から下方に延出形成された左右の側板部２３Ｂと、左右の側板部２３Ｂの下縁を連結する底板部２３Ｃを備えて構成されている。
【００４１】
吸込みカバー２３の上板部２３Ａに、第一水路１の水位に基づいて気中運転と揚水運転とを切り替える切替弁として機能する切替弁機構２２が溶着またはボルト締結されている。
【００４２】
切替弁機構２２は、ポンプケーシングの吸込み側に位置する逆Ｕターン流路２２ｅと、逆Ｕターン流路２２ｅよりもポンプケーシングの吸込み側から離隔して位置する順Ｕターン流路２２ｄとを備えている。
【００４３】
逆Ｕターン流路２２ｅは、最低吸込水位ＬＷＬ近傍位置に第１吸込開口部２２ａが形成されるとともに、第１吸込開口部２２ａよりも高位置に、本実施形態ではポンプ装置１の羽根車軸心Ｐより高い位置に吐出開口部２２ｂが形成され、第１吸込開口部２２ａから引き込まれた水を吐出開口部２２ｂより高い位置を通過して吐出開口部２２ｂに導く流路である。
【００４４】
順Ｕターン流路２２ｄは、最低吸込水位ＬＷＬより高位置に、本実施形態では中間水位ＭＷＬ側に第２吸込開口部２２ｃが形成されるとともに、第２吸込開口部２２ｃより低位置を通過して、略同じ高さに形成された第３開口部２２ｆで逆Ｕターン流路２２ｅに連通する流路である。
【００４５】
つまり、第２吸込開口部２２ｃが吸込みカバー２３の外方に向けて開口され、吐出開口部２２ｂが吸込みカバー２３の内方に向けて開口されている。
【００４６】
さらに、吸込みカバー２３の外側に順Ｕターン流路２２ｄが位置し、吸込みカバー２３の内側に逆Ｕターン流路２２ｄが位置するように、順Ｕターン流路２２ｄと逆Ｕターン流路２２ｄが厚み方向に重畳する複層構造で構成されている。
【００４７】
逆Ｕターン流路２２ｅは第１吸込開口部２２ａから引き込まれた水を、流路に沿って第３開口部２２ｆを経由して吐出開口部２２ｂより高位置から吐出開口部２２ｂに導くように形成され、順Ｕターン流路２２ｄは第３開口部２２ｆで逆Ｕターン流路２２ｅに連通するように形成されている。
【００４８】
図４（ａ）に示すように、水位センサによって第一水路１の水位がポンプ起動水位ＨＷＬに達したと検知されると、駆動装置５によりポンプ装置１１に給電されてポンプ装置１１が起動する。
【００４９】
ポンプ装置１１が起動すると、第１吸込開口部２２ａから逆Ｕターン流路２２ｅに沿ってポンプケーシングへと水が吸い込まれ、同時に第２吸込開口部２２ｃから順Ｕターン流路２２ｄに沿ってポンプケーシングへと水が吸い込まれる。
【００５０】
その結果、切替弁機構２２を構成する逆Ｕターン流路２２ｅ及び順Ｕターン流路２２ｄが水で満たされた水封状態となり、吸込みカバー２３の内部が負圧状態となって、第一水路１の水が吸込みカバー２３の開口部２４から吸い込まれる揚水運転状態になり、この時の揚水圧力によってフラップ弁１２が開放されて第二水路２へ排水される。
【００５１】
揚水運転状態で第一水路１の水位が低下しても、水位が第２吸込開口部２２ｃに対応する中間水位ＭＷＬよりも上位にある場合は、切替弁機構２２の水封状態が維持されるため、継続して揚水運転状態が維持される。
【００５２】
しかし、図４（ｂ）に示すように、第一水路１の水位が中間水位ＭＷＬより低下して、順Ｕターン流路２２ｄの最下点近傍まで低下すると、切替弁機構２２の水封状態が解除されて、第２吸込開口部２２ｃから吸い込まれた空気が順Ｕターン流路２２ｄを経由して逆Ｕターン流路２２ｅの吐出開口部２２ｂから吸込みカバー２３内部に空気が流入するようになる。その結果、負圧状態であった吸込みカバー２３の内部が大気圧と等しくなるので、揚水運転が阻止されて気中運転に切り替わる。
【００５３】
図４（ｃ）に示すように、その後、第一水路１の水位が上昇しても、第２吸込開口部２２ｃに対応する中間水位ＭＷＬよりも水位が低い状態では、吐出開口部２２ｂから空気が吸引されるので、ポンプ装置１１は気中運転状態が維持される。尚、このとき、僅かであるが気水混合運転状態となる場合もある。
【００５４】
さらに、水位が上昇して第２吸込開口部２２ｃに対応する中間水位ＭＷＬよりも高い水位になると、第２吸込開口部２２ｃから水が吸い込まれて、図４（ａ）と同じように、切替弁機構２２が水封状態となる。それによって吸込みカバー２３の内部が負圧となり開口部２４からの水の吸込みが復活して気中運転から揚水運転に切り替わる。
【００５５】
従って、第一水路１の水位が中間水位ＭＷＬよりも大幅な低下に伴って、切替弁機構２２の水封状態が解除されて揚水運転状態から気中運転状態に移行すると、水位が中間水位ＭＷＬよりも上昇するまでの間は気中運転が維持され、また、第一水路１の水位が中間水位ＭＷＬよりも上昇して、切替弁機構２２が水封状態となり揚水運転状態に移行すると、中間水位ＭＷＬよりも大幅に低下するまで揚水運転状態が維持されるので、気中運転と揚水運転が頻繁に切り替わることが回避される。即ち、ポンプ装置１１は切替弁機構２２によって水位変動に対するヒステリシス動作が行なわれるようになる。
【００５６】
尚、図４（ｂ）に示すように、気中運転中は、吐出開口部２２ｂから吸い込まれる空気によってポンプ装置の発熱を抑制することができる。
【００５７】
この様な動作が繰り返されて、第一水路１の水位が低下し、水位センサによって最低吸込水位ＬＷＬが検出される状態が所定時間連続すると、駆動装置５は排水の必要がなくなったと判断してポンプ装置１１への給電を停止する。
【００５８】
切替弁機構２２は吸込みカバー２３の一部として構成されるので、シンプルな構造が実現でき、部品コストも抑制可能になる。また、切替弁機構２２の第２吸込開口部２２ｃは開口部を水平一直線状に設ける事によって水面に夾雑物があったとしても開口部全体がそれらによって完全に詰まる事もなく、確実に空気や水の吸込みを行うことができる。
【００５９】
また、切替弁機構２２は製造工程がシンプルで例えばＳＵＳ３０４等を用いた板金の切削及び折曲げ加工と、加工後の板金を層状に重ねて溶接する溶接加工により複数の流路を容易に作成する事ができ、安価に構成できる。
【００６０】
上述した実施形態では、切替弁機構２２を吸込みカバー２３の上部に設けた例について説明したが、切替弁機構２２を吸込みカバー上部２３Ａではなく吸込みカバー側部２３Ｂに設ける事もできる。上述したような本発明特有の効果は吸込みカバー上部２３Ａのみならず吸込みカバー側部２３Ｂまたは上部及び側部の双方に切替弁機構２２を設けた場合でも有効である。
【００６１】
図５に示すように、逆Ｕターン流路２２ｅと順Ｕターン流路２２ｄは、吸込みカバー２３の面方向に互いに位置を異ならせて配置される単層構造で構成されていてもよい。このように構成すれば、順Ｕターン流路２２ｅと逆Ｕターン流路２２ｄとを吸込みカバーの面方向に互いに位置を異ならせて配置すればよいので、切替弁機構２２を薄型に構成できるようになる。
【００６２】
また、図６に示すように、逆Ｕターン流路２２ｅと順Ｕターン流路２２ｄは、吸込みカバーに配置された管路のような流路形成部材により構成されていてもよい。例えば、管路のような流路形成部材で逆Ｕターン流路と順Ｕターン流路を構成して吸込みカバーに配置すれば、切替弁機構２２を容易く構成することができる。
【００６３】
また、図７に示すように、逆Ｕターン流路２２ｅと順Ｕターン流路２２ｄとが連通する部分２２ｆが屈曲のない流路によって構成され、順Ｕターン流路のその反対側に第２吸込開口部２２ｃを有し、逆Ｕターン流路２２ｅのその反対側に吐出開口部２２ｂを有するように構成されていてもよい。このように構成すれば、極めて容易に製作できるようになる。例えば３枚の板状体を間隔を隔てて配置することにより構成できる。
【００６４】
さらに、第１吸込開口部と逆Ｕターン流路とが連通する部分が屈曲のない流路によって構成され、それに隣接して順Ｕターン流路が配置されるように構成されていてもよい。
【００６５】
上述した実施形態では、一方の水路としての支流河川と他方の水路としての本流河川の合流地点である境界部にポンプゲートを構築した例を説明したが、本発明によるポンプゲートの構築位置はこれに限定するものではなく、一方の水路と他方の水路の境界部に構築されるものであればその水路の種別を問うものではない。また、一方の水路と他方の水路が同一の水路の上流側と下流側、または上流側と下流側に相当する場合も含むものであることはいうまでも無い。
【００６６】
切替弁機構２２の材料は例えばＳＵＳ３０４等を用いた板金に限定することなく硬質樹脂、炭素強化繊維等、適宜公知の材料を使用することも可能である。
【００６７】
上述した実施形態では、ポンプゲートに設置された横軸ポンプの吸込みカバー構造について説明したが、本発明による横軸ポンプの吸込みカバー構造はポンプゲートに設置されるものに限定されるものではなく、土木工事や土木設備等、広く治水に用いられる横軸ポンプに適用できるものである。
【００６８】
上述した実施形態は本発明の一態様であり、該記載により本発明が限定されるものではなく、各部の具体的構成は本発明の作用効果が奏される範囲で適宜変更設計可能であることはいうまでもない。
【符号の説明】
【００６９】
１：第一水路
２：第二水路
３：ポンプゲート
４：ゲート
４ａ：水門柱
４ｂ：床部材
４ｃ：コンクリート製床盤
５：駆動装置
６：止水ゲート扉体
７：昇降機構
７ａ：ラック棒
７ｂ：継手
７ｃ：ギヤボックス
７ｄ：手動操作ハンドル
７ｅ：駆動連結機構
１１：ポンプ装置
１２：フラップ弁
２２：切替弁機構
２２ａ：第１吸込開口部
２２ｂ：吐出開口部
２２ｃ：第２吸込開口部
２２ｄ：順Ｕターン流路
２２ｅ：逆Ｕターン流路
２２ｆ：第３開口部
２３：吸込みカバー
２３Ａ：吸込みカバー上部（上板部）
２３Ｂ：吸込みカバー側部（側板部）
２３Ｃ：吸込みカバー底部（底板部）
２４：開口部
ＨＷＬ：ポンプ起動水位
ＭＷＬ：中間水位
ＬＷＬ：最低吸込水位
ＰＬ：給電ケーブル
【図１】
0006637784.tif 000002
【図２】
0006637784.tif 000003
【図３】
0006637784.tif 000004
【図４】
0006637784.tif 000005
【図５】
0006637784.tif 000006
【図６】
0006637784.tif 000007
【図７】
0006637784.tif 000008